(57)【特許請求の範囲】
【請求項１】
少なくとも前記一端側から所定長さにわたる外周部分を、前記他端寄り側から一端側へ向うにつれて外周の直径が逓減する略テーパ状の略回転対称体で形成され、当該略回転対称体の対称中心軸方向一端側から他端側へ向けて所定長さにわたり所定のワイヤを挿入可能な一又は複数の切欠部を切欠形成されてなり、所定の回転駆動手段と前記他端側で連結され、前記回転駆動手段で対称中心軸を中心に回転駆動される巻取りローラと、
前記巻取りローラを前記一端側が下方となる向きで回動自在に支持する支持フレームと、
前記支持フレームにおける前記巻取りローラの側方位置にワイヤと接触可能に配設され、ワイヤの巻取りローラ外周に向う動き以外の動きを拘束するワイヤ案内手段と、
前記支持フレームの所定高さ位置に取付けられ、前記回転駆動手段の駆動と停止を切替えるスイッチと、
前記スイッチの近傍に取付けられ、前記巻取りローラの切欠部にワイヤを挿入する作業位置から作業者がスイッチに手が届かない状態とするシールド板とを備え、
前記巻取りローラの切欠部に端部が挿入されたワイヤを巻取りローラの回転で巻取りローラ周囲に巻取ると共に、巻取りローラ停止に伴う巻取り終了後、巻取られたワイヤを巻取りローラの一端側から離脱可能とすることを
特徴とするワイヤ巻取り装置。
【請求項２】
前記請求項１に記載のワイヤ巻取り装置において、
前記ワイヤ案内手段が、略枠状に形成されると共に、枠内側の空隙部分に対しワイヤを挿脱可能とされてなり、前記巻取りローラによる巻取り時にワイヤを前記空隙部分に通されることを
特徴とするワイヤ巻取り装置。
【請求項３】
前記請求項１又は２に記載のワイヤ巻取り装置において、
少なくとも前記巻取りローラの外周最大径部分より内径の大きな略環状体で形成され、当該略環状体内側に巻取りローラを貫通させた状態で巻取りローラの対称中心軸方向へ平行移動可能に前記支持フレームに配設されるワイヤ押下手段を備えることを
特徴とするワイヤ巻取り装置。
【発明の詳細な説明】
【０００１】
【発明の属する技術分野】
本発明は、古紙を圧縮梱包したベールから除去された結束用のワイヤを巻取って小さくまとめるワイヤ巻取り装置に関する。
【０００２】
【従来の技術】
新聞・雑誌や段ボール等の古紙は、集荷して仕分された後、ベーラにより圧縮梱包され、運搬に便利な大きさのベールとされる。この圧縮梱包された古紙のベールは、ワイヤ等の結束材料で強固に結束されて、圧縮状態から膨張しないようになっている。ベールを結束するワイヤは、ベールが製紙工場での溶解工程に達する直前に人手又は切断機械により切断され、ベール周囲から除去された後、集められて一まとめにされ、回収されるのが一般的である。
【０００３】
【発明が解決しようとする課題】
従来の古紙結束用ワイヤの回収は以上のように行われていることから、作業者がワイヤをベールから外して集め、一まとめにする作業においては、太く強靱なワイヤをまとめるのにかなりの労力を必要とし、作業者に大きな負担がかかるという課題を有していた。また、太く強靱なワイヤがそのばね性により作業者の意思に反して動き、誤って作業者の身体に強く当る危険性があるという課題を有していた。
【０００４】
一方、従来から、ベール周囲のワイヤを自動的に切断して除去する自動ワイヤ除去装置も存在している。こうした従来の自動ワイヤ除去装置の場合、作業者による作業を経ずにワイヤを自動的に除去・回収することができ、作業者の安全も確保できるものの、複雑な作業工程を自動化しているために装置は高コストになってしまい、導入が難しいという課題を有していた。
【０００５】
本発明は前記課題を解消するためになされたもので、ワイヤの巻取りを自動化し、低コストでワイヤを安全に巻取れると共に、巻取り部分から巻取り後のワイヤを確実に取外すことができ、ベールから除去したワイヤの回収作業を安全且つ能率よく行えるワイヤ巻取り装置を提供することを目的とする。
【０００６】
【課題を解決するための手段】
少なくとも前記一端側から所定長さにわたる外周部分を、前記他端寄り側から一端側へ向うにつれて外周の直径が逓減する略テーパ状の略回転対称体で形成され、当該略回転対称体の対称中心軸方向一端側から他端側へ向けて所定長さにわたり所定のワイヤを挿入可能な一又は複数の切欠部を切欠形成されてなり、所定の回転駆動手段と前記他端側で連結され、前記回転駆動手段で対称中心軸を中心に回転駆動される巻取りローラと、前記巻取りローラを前記一端側が下方となる向きで回動自在に支持する支持フレームと、前記支持フレームにおける前記巻取りローラの側方位置にワイヤと接触可能に配設され、ワイヤの巻取りローラ外周に向う動き以外の動きを拘束するワイヤ案内手段と、前記支持フレームの所定高さ位置に取付けられ、前記回転駆動手段の駆動と停止を切替えるスイッチと、前記スイッチの近傍に取付けられ、前記巻取りローラの切欠部にワイヤを挿入する作業位置から作業者がスイッチに手が届かない状態とするシールド板とを備え、前記巻取りローラの切欠部に端部が挿入されたワイヤを巻取りローラの回転で巻取りローラ周囲に巻取ると共に、巻取りローラ停止に伴う巻取り終了後、巻取られたワイヤを巻取りローラの一端側から離脱可能とするするものである。
【０００７】
このように本発明においては、回転駆動される下方に向かって逓減する略テーパ状の巻取りローラを配設し、この巻取ローラを回転駆動させる回転駆動手段の駆動と停止とを切替えるスイッチが巻取ローラにワイヤを挿入する作業位置から作業者の手が届かない状態となるようにシールド板を取付け、切断してベール周囲から離したワイヤの端部を巻取りローラの切欠部に挿入後巻取りローラを回転させてワイヤを巻取り、ワイヤを最終的に略コイル状にまとめることにより、ベール周囲から外したワイヤを小さくまとめてそのまま下方へ自然落下させることにより作業が容易となり、この作業の際に作業者の手などが巻込まれるのを確実に防止できることとなり、作業能率が向上すると共に、太く強靱なワイヤを人手で直接取扱う機会が大幅に減少し、作業者の労力軽減と安全性向上が図れる。また、簡略で低コストなワイヤ巻取り機構で作業能率と安全性の向上が共に実現できることとなり、導入しやすい。
【０００８】
また、本発明に係るワイヤ巻取り装置は必要に応じて、前記ワイヤ案内手段が、略枠状に形成されると共に、枠内側の空隙部分に対しワイヤを挿脱可能とされてなり、前記巻取りローラによる巻取り時にワイヤを前記空隙部分に通されるものである。
このように本発明においては、巻取りローラ側方位置のワイヤ案内手段がワイヤを挿脱自在な略枠状体とされ、ワイヤを挿入されたワイヤ案内手段が、巻取られるワイヤを巻取りローラ側方で取囲んでワイヤの動きを制限することにより、ワイヤの巻取りローラに向う方向を除くワイヤの各方向への不要な動きを抑え、巻取り時の作業者の安全性をより一層向上させられる。
【０００９】
また、本発明に係るワイヤ巻取り装置は必要に応じて、少なくとも前記巻取りローラの外周最大径部分より内径の大きな略環状体で形成され、当該略環状体内側に巻取りローラを貫通させた状態で巻取りローラの対称中心軸方向へ平行移動可能に前記支持フレームに配設されるワイヤ押下手段を備えるものである。
【００１０】
このように本発明においては、巻取りローラの周囲で上下動自在となるワイヤ押下手段を配設し、ワイヤ巻取り後にワイヤが巻取りローラから離れない場合に、ワイヤ押下手段を下げて巻取りローラ周囲のワイヤを強制的に押下げ、ワイヤを下方へ落下させられることにより、ワイヤが何らかの理由で自然に巻取りローラから離れない場合もワイヤ押下手段で確実に巻取りローラから外すことができ、ワイヤを手作業で外す手間が省けると共に、作業者の安全を確保できる。
【００１１】
【発明の実施の形態】
以下、本発明の一実施の形態に係るワイヤ巻取り装置を図１〜図５に基づいて説明する。この図１は本実施の形態に係るワイヤ巻取り装置の正面図、図２は本実施の形態に係るワイヤ巻取り装置の側面図、図３は本実施の形態に係るワイヤ巻取り装置の平面図、図４は本実施の形態に係るワイヤ巻取り装置におけるワイヤ押下手段の平面図、図５は本実施の形態に係るワイヤ巻取り装置の要部構成図である。
【００１２】
前記各図において、本実施形態に係るワイヤ巻取り装置１は、所定の回転駆動手段２で回転駆動される回転対称体の巻取りローラ３と、この巻取りローラ３を回動自在に支持する支持フレーム４と、この支持フレーム４における巻取りローラ３の側方位置にワイヤ５０と接触可能に配設され、ワイヤ５０の巻取りローラ３外周に向う動き以外の動きを拘束するワイヤ案内手段５と、前記巻取りローラ３の最大径部分より内径の大きな略環状体で形成され、支持フレーム４に巻取りローラ３の近傍で上下動可能に配設されるワイヤ押下手段６とを備える構成である。
【００１３】
前記回転駆動手段２は、支持フレーム４に固定される回転駆動源としての電動機２ａと、支持フレーム４に回動自在に支持される回転軸２ｂとを備える構成であり、回転軸２ｂが電動機２ａから歯車（チェーン、ベルト）を介して回転駆動力を受け、回転する仕組みとなっている。
前記巻取りローラ３は、一端部から他端部近傍までの範囲の外周部分を、他端寄り側から一端側へ向うにつれて外周の直径が逓減するテーパ状に形成される回転対称体であり、小径の一端部側から他端部側へ向けて所定長さにわたりワイヤ５０の挿入が可能な切欠部３ａを切欠形成される一方、大径の他端部を回転駆動手段２の回転軸２ｂ下端部にフランジ３ｂを介して固定され、対称中心軸を回動中心として支持フレーム４所定位置に回動自在に配設される構成である。
【００１４】
前記支持フレーム４は、所定のフレーム材を一体の枠状に組合わせて形成される構成である。この支持フレーム４の下部には、巻取りローラ３から外したワイヤ５０を適切に装置外へ導くガイド板４ａが配設される。また、支持フレーム４には、電動機２ａの駆動と停止を切替えるスイッチ４ｂが所定高さ位置に取付けられると共に、このスイッチ４ｂ近傍に所定の大きさのシールド板４ｃが取付けられる。巻取りローラ３の切欠部３ａにワイヤ５０を挿入する作業位置からは、シールド板４ｃに遮られてスイッチ４ｂに作業者の手が届かない状態となっており、ワイヤ５０挿入作業時の作業者によるスイッチ４ｂの誤操作で巻取りローラ３が回転して作業者の手などが巻込まれるのを確実に防止できる。作業者がスイッチ４ｂを操作する際には、シールド板４ｃのスイッチ４ｂ配設側に作業者が一旦移動してから操作を行うこととなる（図３参照）。
【００１５】
前記ワイヤ案内手段５は、所定の大きさの略矩形枠状体で形成され、ワイヤ５０を枠内の空隙部分に挿脱可能とされて支持フレーム４に一体に取付けられる構成である。ワイヤ５０は巻取りローラ３で巻取られる間、この空隙部分を通過することとなる。
前記ワイヤ押下手段６は、巻取りローラ３の最大径部分より若干大きい内径を有して巻取りローラ３の周囲を通過可能な環状部６ａと、この環状部６ａから側方に突出する状態で一体に配設される二つのアーム部６ｂとを備え、支持フレーム４側部に巻取りローラ３の中心軸方向と平行な上下方向に平行移動可能として配設される構成である。
【００１６】
このワイヤ押下手段６は、支持フレーム４に上下動可能に配設される所定長さの操作棒６ｃと連動する仕組みとされており、この操作棒６ｃ下部に一体に取付けられた操作ペダル６ｄを作業者が足で踏下げることで、操作棒６ｃと連動するワイヤ押下手段６を下方に動かせる仕組みである。各アーム部６ｂとその上側の支持フレーム４との間にはワイヤ押下げ手段６を下方に動かした後上方に復帰させるばね６ｅがそれぞれ配設される。
【００１７】
次に、前記構成に基づくワイヤ巻取り装置１によるワイヤ巻取り動作を説明する。まず、巻取りローラ３が停止している状態で、作業者によりベール（図示を省略）周囲から外されたワイヤ５０の端部が一旦ワイヤ案内手段５に通された後、巻取りローラ３の切欠部３ａに挿入され、ワイヤ５０端部が巻取りローラ３に保持された状態となる。なお、電動機２ａ起動用のスイッチ４ｂは作業者の挿入作業位置に対して手の届かない箇所にあり、このワイヤ５０端部の挿入作業の際に、同じ作業者による誤ったスイッチ４ｂ操作がなされることはない。
【００１８】
巻取りローラ３にワイヤ５０端部が保持された後、作業者によるスイッチ４ｂ操作で電動機２ａが起動し、巻取りローラ３が回転を開始してワイヤ５０をワイヤ案内手段５と接触させつつ巻取りローラ３周囲に巻取っていく。巻取られるワイヤ５０は巻取りローラ３の前段でワイヤ案内手段５により拘束されており、ワイヤ５０の不要な動きが抑えられ、作業者への接触等の危険は少なくなっている。
所要の長さのワイヤ５０が巻取られると、作業者のスイッチ４ｂ操作で電動機２ａが停止し、巻取りローラ３によるワイヤ５０の巻取りが終了する。この時点で、巻取られて略コイル状となったワイヤ５０は、下側ほど細くなっている巻取りローラ３とワイヤ５０との間の摩擦抵抗が小さいことに加え、ワイヤ５０下側に障害物も存在しないことから、通常は自重によりそのまま巻取りローラ３外周から落下する。
【００１９】
ワイヤ５０の巻取りローラ３への密着度が高く、電動機２ａ停止後もそのまま巻取りローラ３から離れない場合には、操作ペダル６ｄを作業者が足で踏下げてワイヤ押下手段６を巻取りローラ３上側から下方へ移動させ、巻取りローラ３外周のワイヤ５０をワイヤ押下手段６で強制的に押下げて巻取りローラ３から離脱落下させる。
落下したワイヤ５０は巻取られた略コイル形状のまま支持フレーム４下部のガイド板４ａに沿って進み、最終的に装置外の収納部（図示を省略）に達し、適宜搬出される。
【００２０】
このように、本実施の形態に係るワイヤ巻取り装置においては、回転駆動される巻取りローラ３を配設し、切断してベール周囲から離したワイヤ５０の端部を巻取りローラ３の切欠部３ａに挿入後巻取りローラ３を回転させてワイヤ５０を巻取り、ワイヤ５０を最終的に略コイル状にまとめることから、ベール周囲から外したワイヤ５０を小さくまとめる作業が容易となり、作業能率が向上すると共に、太く強靱なワイヤ５０を人手で直接取扱う機会が大幅に減少し、作業者の労力軽減と安全性向上が図れる。また、巻取りローラ３を先細状とし、ワイヤ５０巻取り後の巻取りローラ３停止時点で、略コイル状となったワイヤと巻取りローラ３の下側ほど小径となる外周面部分との接触及び摩擦を少なくして、ワイヤ５０が巻取りローラ３外周に保持されにくい状態とすることから、略コイル状のワイヤ５０がそのまま下方へ落下しやすく、ワイヤ５０巻取り後の作業時間を短縮して作業能率を向上させられる。
【００２１】
さらに、本実施の形態に係るワイヤ巻取り装置においては、ワイヤ５０巻取り後にワイヤ５０が巻取りローラ３から離れない場合には、ワイヤ押下手段６でワイヤ５０を強制的に押下げ、ワイヤ５０を下方へ落下させられることから、ワイヤ５０が自然に巻取りローラ３から離れない場合もワイヤ押下手段６で確実に巻取りローラ３から外すことができ、ワイヤ５０を手作業で外す手間が省けると共に、作業者の安全を確保できる。
【００２２】
なお、前記実施の形態に係るワイヤ巻取り装置においては、電動機２ａの駆動と停止の切替えをスイッチ４ｂの手動操作で行う構成としているが、これに限らず、巻取るワイヤ５０の長さがあらかじめわかっている場合、スイッチ４ｂとしてタイムスイッチ（タイマー）を用い、スイッチ４ｂを駆動側としてから所定時間経過して所要長さのワイヤ５０が巻取られた後、スイッチ４ｂの停止側への自動復帰と共に電動機２ａを停止させる構成とすることもでき、作業者によるスイッチ操作の頻度が減り、より一層の労力軽減が図れる。
【００２３】
【発明の効果】
以上のように本発明によれば、回転駆動される下方に向かって逓減する略テーパ状の巻取りローラを配設し、この巻取ローラを回転駆動させる回転駆動手段の駆動と停止を切替えるスイッチが巻取ローラにワイヤを挿入する作業位置から作業者の手の届かない状態となるようにシールド板を取付け、切断してベール周囲から離したワイヤの端部を巻取りローラの切欠部に挿入後巻取りローラを回転させてワイヤを巻取り、ワイヤを最終的に略コイル状にまとめることにより、ベール周囲から外したワイヤを小さくまとめてそのまま下方へ自然落下させることにより作業が容易となり、この作業の際に作業者の手などが巻込まれるのを確実に防止できることとなり、作業能率が向上すると共に、太く強靱なワイヤを人手で直接取扱う機会が大幅に減少し、作業者の労力軽減と安全性向上が図れる。また、簡略で低コストなワイヤ巻取り機構で作業能率と安全性の向上が共に実現できることとなり、導入しやすいという効果を有する。
【００２４】
また、本発明によれば、巻取りローラ側方位置のワイヤ案内手段がワイヤを挿脱自在な略枠状体とされ、ワイヤを挿入されたワイヤ案内手段が、巻取られるワイヤを巻取りローラ側方で取囲んでワイヤの動きを制限することにより、ワイヤの巻取りローラに向う方向を除くワイヤの各方向への不要な動きを抑え、巻取り時の作業者の安全性をより一層向上させられるという効果を有する。
【００２６】
また、本発明によれば、巻取りローラの周囲で上下動自在となるワイヤ押下手段を配設し、ワイヤ巻取り後にワイヤが巻取りローラから離れない場合に、ワイヤ押下手段を下げて巻取りローラ周囲のワイヤを強制的に押下げ、ワイヤを下方へ落下させられることにより、ワイヤが何らかの理由で自然に巻取りローラから離れない場合もワイヤ押下手段で確実に巻取りローラから外すことができ、ワイヤを手作業で外す手間が省けると共に、作業者の安全を確保できるという効果を有する。
【図面の簡単な説明】
【図１】本発明の一実施の形態に係るワイヤ巻取り装置の正面図である。
【図２】本発明の一実施の形態に係るワイヤ巻取り装置の側面図である。
【図３】本発明の一実施の形態に係るワイヤ巻取り装置の平面図である。
【図４】本発明の一実施の形態に係るワイヤ巻取り装置におけるワイヤ押下手段の平面図である。
【図５】本発明の一実施の形態に係るワイヤ巻取り装置の要部構成図である。
【符号の説明】
１    ワイヤ巻取り装置
２    回転駆動手段
２ａ  電動機
２ｂ  回転軸
３    巻取りローラ
３ａ  切欠部
３ｂ  フランジ
４    支持フレーム
４ａ  ガイド板
４ｂ  スイッチ
４ｃ  シールド板
５    ワイヤ案内手段
６    ワイヤ押下手段
６ａ  環状部
６ｂ  アーム部
６ｃ  操作棒
６ｄ  操作ペダル
６ｅ  ばね
５０  ワイヤ
【図１】
0003669279.tif 000002
【図２】
0003669279.tif 000003
【図３】
0003669279.tif 000004
【図４】
0003669279.tif 000005
【図５】
0003669279.tif 000006